(57)【特許請求の範囲】
【請求項１】
建屋内で水平軸を中心として回転する複数のスプロケットに掛け回され上下方向に循環する無端状の主務チェーンと、
車両を格納し前記主務チェーンに吊り下げられた複数のケージと、
前記建屋の１階部分に設けられ前記車両を前記ケージに入出庫させる入出庫部と、
前記入出庫部において前記車両の洗車に使用される洗車設備と、を備え、
前記洗車設備は、一端から放水する可撓性のある管状の洗車ホースと、
放水された水を前記入出庫部から排出する排水装置と、
前記入出庫部に位置する前記車両の周囲で上方から垂れ下がる布状の防水カバーと、を有し、
前記洗車設備は、前記洗車ホースの前記一端が連結可能なノズルを有し、
前記ノズルと前記防水カバーとは、前記ケージに固定され、
前記洗車ホースと前記排水装置とは、前記入出庫部に設けられ、
前記ノズルは、前記防水カバーの前記車両側に固定される、垂直循環式駐車装置。
【請求項２】
前記車両を搭載し前記ケージに格納される複数のパレットを備え、
前記洗車設備は、該パレットの上面に開口し該パレットの上面から流れ落ちる水を溜める水タンクと、
一端部が前記水タンクの底面に連結し該水タンクに溜まった水を外部に排出可能な水抜きホースと、を有し、
前記水抜きホースは、その他端部の位置を移動可能に前記パレットに取り付けられており、
前記水抜きホースの他端部は、前記パレットが前記入出庫部より上方に位置するときに前記水タンクの上端部より上方に位置し、
前記パレットが前記入出庫部に位置するときに前記水タンクの前記底面より下方に位置する、請求項１に記載の垂直循環式駐車装置。
【請求項３】
建屋内で水平軸を中心として回転する複数のスプロケットに掛け回され上下方向に循環する無端状の主務チェーンと、
車両を格納し前記主務チェーンに吊り下げられた複数のケージと、
前記建屋の１階部分に設けられ前記車両を前記ケージに入出庫させる入出庫部と、
前記入出庫部において前記車両の洗車に使用される洗車設備と、を備え、
前記主務チェーン上における隣り合った前記ケージ間に位置し１つの前記ケージの大きさに相当する空間と、
前記スプロケットの回転を制御する制御装置と、を備え、
前記洗車設備は、一端から放水する可撓性のある管状の洗車ホースと、
放水された水を前記入出庫部から排出する排水装置と、を有し、
前記制御装置は、前記洗車設備の使用時に前記空間が前記入出庫部に位置するように前記スプロケットの回転を制御し、
前記入出庫部は、その床における前記ケージの下の位置に前後方向の長さが前記ケージの前後方向の長さに近く幅が該ケージより大きい窪みを有し、
前記洗車設備は、前記窪み内に設置され前記車両のタイヤを載せる水平な上面を有する洗車台を有する、垂直循環式駐車装置。
【請求項４】
前記洗車台は、互いに平行に並ぶ前記上面を２つ有し、
前記上面は、前記車両の進行方向に延び前記タイヤが通過する車路のみに設けられる、請求項３に記載の垂直循環式駐車装置。
【請求項５】
前記洗車台は、その下面に水平軸を中心として回転可能な車輪を少なくとも３つ以上有する、請求項３又は４に記載の垂直循環式駐車装置。
【請求項６】
前記洗車台は、前記制御装置の制御により前記上面を横行させる横行アクチュエータを有し、
前記制御装置は、前記空間が前記入出庫部に位置するときに、前記上面が前記車両の車路に位置するように前記横行アクチュエータを制御し、
前記ケージが前記入出庫部に位置するとき及び前記スプロケットを回転させるときに、前記上面が前記車路より前記入出庫部の幅方向外方に位置するように前記横行アクチュエータを制御する、請求項３〜５のいずれか一項に記載の垂直循環式駐車装置。
【請求項７】
前記洗車台は、前記制御装置の制御により前記上面を昇降させる昇降アクチュエータを有し、
前記制御装置は、前記空間が前記入出庫部に位置するときに、前記上面が前記入出庫部の床の高さに位置するように前記昇降アクチュエータを制御し、
前記ケージが前記入出庫部に位置するとき及び前記スプロケットを回転させるときに、前記上面が前記入出庫部の床より下方に位置するように前記昇降アクチュエータを制御する、請求項３又は４に記載の垂直循環式駐車装置。
【請求項８】
建屋内で水平軸を中心として回転する複数のスプロケットに掛け回され上下方向に循環する無端状の主務チェーンと、
車両を格納し前記主務チェーンに吊り下げられた複数のケージと、
前記建屋の１階部分に設けられ前記車両を前記ケージに入出庫させる入出庫部と、を備える既設の垂直循環式駐車装置の改造方法であって、
前記既設の垂直循環式駐車装置に、前記入出庫部において前記車両の洗車に使用される洗車設備として、
一端から放水する可撓性のある管状の洗車ホースと、放水された水を前記入出庫部から排出する排水装置と、を前記入出庫部に設け、
前記入出庫部に位置する前記車両の周囲で上方から垂れ下がる布状の防水カバーと、前記洗車ホースの前記一端が連結可能なノズルと、を前記ケージに固定し、
前記ノズルを、前記防水カバーの前記車両側に固定する、ことにより前記洗車設備を設ける、既設の垂直循環式駐車装置の改造方法。
【請求項９】
建屋内で水平軸を中心として回転する複数のスプロケットに掛け回され上下方向に循環する無端状の主務チェーンと、
車両を格納し前記主務チェーンに吊り下げられた複数のケージと、
前記建屋の１階部分に設けられ前記車両を前記ケージに入出庫させる入出庫部と、を備える既設の垂直循環式駐車装置の改造方法であって、
前記入出庫部は、その床における前記ケージの下の位置に前後方向の長さが前記ケージの前後方向の長さに近く幅が該ケージより大きい窪みを有するものであり、
前記既設の垂直循環式駐車装置に、前記入出庫部において前記車両の洗車に使用される洗車設備として、
複数の前記ケージの少なくとも１つを前記主務チェーンから外し前記主務チェーン上における隣り合った前記ケージ間に１つの前記ケージの大きさに相当する空間を設け、
一端から放水する可撓性のある管状の洗車ホースと、放水された水を前記入出庫部から排出する排水装置と、を入出庫部に取り付け、
前記窪み内に設置され前記車両のタイヤを載せる水平な上面を有する洗車台を設ける、ことにより前記洗車設備を設ける、既設の垂直循環式駐車装置の改造方法。
【発明の詳細な説明】
【技術分野】
【０００１】
本発明は、車両を洗車できる垂直循環式駐車装置と既設の垂直循環式駐車装置の改造方法に関する。
【背景技術】
【０００２】
垂直循環式駐車装置は、建屋内で、駐車装置の骨格となる鉄骨に取り付けた上下のスプロケットの間に主務チェーンをエンドレスに掛け渡し、この主務チェーンに取り付けた複数のケージを上下方向に循環するように構成したものである。主務チェーンは、ケージを吊り下げるためのチェーンアタッチメントを複数有する。
【０００３】
以下の説明において、垂直循環式駐車装置のスプロケットの水平軸が延びる方向を前後方向とし、出庫時の車両の進行方向前方を前方とし、その反対側を後方とする。また前後方向に直交する水平方向を幅方向とする。
【０００４】
ケージは、前後方向両端部に固定した吊りリングと、各吊りリングの上部に水平に貫通するケージ吊り軸とから成るものである。このケージ吊り軸は、吊りリングに設けた滑り軸受けでその軸心を中心に回転できるようになっている。
パレットは、その前後方向両端部を吊りリングに支持され、ケージに搭載される。
【０００５】
この垂直循環式駐車装置に車両を入出庫するときは、スプロケットをモータで回転させて主務チェーンを循環させ、パレットに車両を載せていない空のケージを１階に下降させる。次に、この１階に位置するケージのパレットに車両を進入させ、ケージを上昇させて入庫を完了させる。逆に、車両を出庫させるときは、出庫させる車両が載っているケージを１階に下降させ、このケージのパレットから車両を進出させて出庫を完了させる。このように、垂直循環式駐車装置は、主務チェーンを循環させる作業のみで、車両の入庫及び出庫を連続して円滑に行うようになっている。
【０００６】
垂直循環式駐車装置は、狭い立地条件でも建設できるという特徴を有する。車両の幅の例えば２．５倍の幅の敷地面積があれば、垂直循環式駐車装置を建設できる。
通常、垂直循環式駐車装置には、洗車設備が設けられていない。
【０００７】
一方、洗車設備を設けた垂直循環式駐車装置は、例えば特許文献１、２に開示されている。
【０００８】
特許文献１に開示された垂直循環式駐車装置は、建屋の１階部分に設けられた入出庫部と、前後方向後方であって建屋の最上階に設けられた洗車設備を備え、最上階のケージからパレットを引き出して洗車するものである。
【０００９】
特許文献２に開示された装置は、地上部と地下部との間で循環する垂直循環式駐車装置である。この装置は、洗車設備を、地下の前後方向前方に備えている。つまりこの装置は、建屋の前庭の地下部分に洗車空間を設け、そこに洗車設備を備えている。洗車する際には、ケージから洗車空間に車両を移動させて洗車する。
【先行技術文献】
【特許文献】
【００１０】
【特許文献１】特開昭５８−１５０６６３号公報
【特許文献２】実開平３−１１１７５４号公報
【発明の概要】
【発明が解決しようとする課題】
【００１１】
通常の垂直循環式駐車装置は、その装置の内部に洗車設備がない。一般に垂直循環式駐車装置は、狭い立地に設置されることが多く、その周囲に、利用者が自ら洗車できるようなスペースが設けられている事は少ない。
そのため垂直循環式駐車装置の利用者は、たとえ自分で洗車したくても洗車できず、洗車の都度、ガソリンスタンド等に車両を運び込み、洗車料金を支払って、ガソリンスタンドのスタッフに洗車を依頼しなければならなかった。
【００１２】
また特許文献１の垂直循環式駐車装置は、建屋の最上階であって、ケージの前後方向後方に洗車設備が設けられている。そのためこの装置は、通常の少なくとも２倍の面積の敷地を必要とする。つまり、特許文献１の垂直循環式駐車装置を建設するためには、入出庫部の後方に必要な敷地とそこに建設する建屋の分、余分な土地や建物が必要であった。
【００１３】
特許文献２の垂直循環式駐車装置は、地下にピットと洗車空間を必要とする。そのためこの装置を建設するためには、地下を設けなければならないばかりでなく、１階部分の前庭を確保したままピットから前方に掘り進み、洗車空間を形成しなければならない。一般に、地下を建設する費用は高い。
したがって特許文献２の垂直循環式駐車装置を建設するには、通常の垂直循環式駐車装置よりもかなり高い建設費用を必要とした。
【００１４】
一方、近年、車両の利用台数が減少していることから、空いたケージが増えている。
【００１５】
本発明は上述した問題点を解決するために創案されたものである。すなわち本発明の目的は、通常と同じ敷地面積であっても建屋の内部で洗車できる垂直循環式駐車装置と既設の垂直循環式駐車装置の改造方法を提供することにある。
【課題を解決するための手段】
【００１６】
本発明によれば、建屋内で水平軸を中心として回転する複数のスプロケットに掛け回され上下方向に循環する無端状の主務チェーンと、
車両を格納し前記主務チェーンに吊り下げられた複数のケージと、
前記建屋の１階部分に設けられ前記車両を前記ケージに入出庫させる入出庫部と、
前記入出庫部において前記車両の洗車に使用される洗車設備と、を備える、垂直循環式駐車装置が提供される。
【００１７】
また前記洗車設備は、一端から放水する可撓性のある管状の洗車ホースと、
放水された水を前記入出庫部から排出する排水装置と、
前記入出庫部に位置する前記車両の周囲で上方から垂れ下がる布状の防水カバーと、を有する。
【００１８】
また前記洗車設備は、前記洗車ホースの前記一端が連結可能なノズルを有し、
前記ノズルと前記防水カバーとは、前記ケージに固定され、
前記洗車ホースと前記排水装置とは、前記入出庫部に設けられ、
前記ノズルは、前記防水カバーの前記車両側に固定される。
【００１９】
また前記車両を搭載し前記ケージに格納される複数のパレットを備え、
前記洗車設備は、該パレットの上面に開口し該パレットの上面から流れ落ちる水を溜める水タンクと、
一端部が前記水タンクの底面に連結し該水タンクに溜まった水を外部に排出可能な水抜きホースと、を有し、
前記水抜きホースは、その他端部の位置を移動可能に前記パレットに取り付けられており、
前記水抜きホースの他端部は、前記パレットが前記入出庫部より上方に位置するときに前記水タンクの上端部より上方に位置し、
前記パレットが前記入出庫部に位置するときに前記水タンクの前記底面より下方に位置する。
【００２０】
また前記主務チェーン上における隣り合った前記ケージ間に位置し１つの前記ケージの大きさに相当する空間と、
前記スプロケットの回転を制御する制御装置と、を備え、
前記洗車設備は、一端から放水する可撓性のある管状の洗車ホースと、
放水された水を前記入出庫部から排出する排水装置と、を有し、
前記制御装置は、前記洗車設備の使用時に前記空間が前記入出庫部に位置するように前記スプロケットの回転を制御する。
【００２１】
また前記入出庫部は、その床における前記ケージの下の位置に前後方向の長さが前記ケージの前後方向の長さに近く幅が該ケージより大きい窪みを有し、
前記洗車設備は、前記窪み内に設置され前記車両のタイヤを載せる水平な上面を有する洗車台を有する。
【００２２】
また前記洗車台は、互いに平行に並ぶ前記上面を２つ有し、
前記上面は、前記車両の進行方向に延び前記タイヤが通過する車路のみに設けられる。
【００２３】
また前記洗車台は、その下面に水平軸を中心として回転可能な車輪を少なくとも３つ以上有する。
【００２４】
また前記洗車台は、前記制御装置の制御により前記上面を横行させる横行アクチュエータを有し、
前記制御装置は、前記空間が前記入出庫部に位置するときに、前記上面が前記車両の車路に位置するように前記横行アクチュエータを制御し、
前記ケージが前記入出庫部に位置するとき及び前記スプロケットを回転させるときに、前記上面が前記車路より前記入出庫部の幅方向外方に位置するように前記横行アクチュエータを制御する。
【００２５】
また前記洗車台は、前記制御装置の制御により前記上面を昇降させる昇降アクチュエータを有し、
前記制御装置は、前記空間が前記入出庫部に位置するときに、前記上面が前記入出庫部の床の高さに位置するように前記昇降アクチュエータを制御し、
前記ケージが前記入出庫部に位置するとき及び前記スプロケットを回転させるときに、前記上面が前記入出庫部の床より下方に位置するように前記昇降アクチュエータを制御する。
【００２６】
また本発明によれば、建屋内で水平軸を中心として回転する複数のスプロケットに掛け回され上下方向に循環する無端状の主務チェーンと、
車両を格納し前記主務チェーンに吊り下げられた複数のケージと、
前記建屋の１階部分に設けられ前記車両を前記ケージに入出庫させる入出庫部と、を備える既設の垂直循環式駐車装置の改造方法であって、
前記既設の垂直循環式駐車装置に、前記入出庫部において前記車両の洗車に使用される洗車設備を設ける、既設の垂直循環式駐車装置の改造方法が提供される。
【００２７】
また複数の前記ケージの少なくとも１つを前記主務チェーンから外し前記主務チェーン上における隣り合った前記ケージ間に１つの前記ケージの大きさに相当する空間を設け、
一端から放水する可撓性のある管状の洗車ホースと、放水された水を前記入出庫部から排出する排水装置と、を入出庫部に取り付ける、ことにより前記洗車設備を設ける。
【発明の効果】
【００２８】
上述した本発明の装置と方法によれば、洗車設備が入出庫部に設けられるので、操作者又は利用者自らが入出庫部で車両を洗車できる。したがって、洗車の都度、車両を垂直循環式駐車装置（以下、駐車装置）の外に運び出す必要が無い。また操作者又は利用者自らが洗車できる場合にまで、洗車料金を支払ってガソリンスタンド等の洗車サービスに洗車を依頼する必要が無い。
【００２９】
その上、本発明の装置と方法によれば、建屋内で洗車できるので、天候に左右されずに洗車できる。
【００３０】
また本発明の洗車設備は、入出庫部に設けられるので、通常の垂直循環式駐車装置が必要とする敷地面積の他に、余分な建物を建てるための土地を必要としない。つまり、本発明の装置と方法によれば、敷地面積が通常の垂直循環式駐車装置が必要とする敷地面積と同じであっても、駐車装置の建屋の内部で車両を洗車できる。
【００３１】
さらに、本発明の装置と方法によれば、洗車設備を設ける場所が、建屋の１階部分に設けられた入出庫部であるため、ピットや地下の洗車空間を設ける必要が無い。そのため、従来の洗車設備を設けた駐車装置よりも垂直循環式駐車装置の建設費用を抑えることができる。
【図面の簡単な説明】
【００３２】
【図１】本発明の垂直循環式駐車装置の正面図である。
【図２】本発明の第１実施形態の洗車設備の説明図である。
【図３】水タンクと水抜きホースの説明図である。
【図４】本発明の第２実施形態の洗車設備の説明図である。
【図５】本発明の第３実施形態の洗車設備の説明図である。
【図６】本発明の具体例１の洗車台の説明図である。
【図７】本発明の具体例２の洗車台の説明図である。
【図８】図８は、本発明の具体例３の洗車用台の説明図である。
【発明を実施するための形態】
【００３３】
以下、本発明の実施形態を図面に基づいて説明する。なお、各図において共通する部分には同一の符号を付し、重複した説明を省略する。
【００３４】
図１は、本発明の垂直循環式駐車装置１の正面図である。
本発明の垂直循環式駐車装置１は、建屋２、スプロケット４、主務チェーン６、複数のケージ１０、入出庫部１２、洗車設備１４、複数のパレット２０、及び制御装置２４を備える。以下の説明において垂直循環式駐車装置１を単に駐車装置１とする。
【００３５】
本発明の建屋２の敷地面積は、通常の垂直循環式駐車装置と同様である。例えば本発明の建屋２は、車両Ａの幅の２．５倍の幅の敷地面積に建設されたものであってもよい。
【００３６】
入出庫部１２は、建屋２の１階部分に設けられた車両Ａをケージ１０に入出庫させる場所である。入出庫部１２の幅は、少なくとも車両Ａの幅の２．５倍の長さを有する。言い換えると、入出庫部１２は、２つのパレット２０を幅方向に並べて設置できる大きさを有する。
【００３７】
入出庫部１２は、その床におけるケージ１０の下の位置に、前後方向の長さがケージ１０の前後方向の長さに近く、幅がケージ１０より大きい窪み１２ａを有する。
【００３８】
窪み１２ａの底面は、入出庫部１２の幅方向中心に向かうにつれて下方に傾斜する。例えば窪み１２ａの幅方向端部の底面が入出庫部１２の床から下方に１０ｃｍの位置に位置し、入出庫部１２の幅方向中心の窪み１２ａの底面が入出庫部１２の床から下方に１５ｃｍの位置に位置していてもよい。
しかしこれに限らず、窪み１２ａは、鉛直な内側面と水平な底面から成っていてもよい。
【００３９】
これらの窪み１２ａの構成により、駐車装置１は、入出庫部１２の床に接触せずにケージ１０を循環させることができる。
【００４０】
スプロケット４は、建屋２内で水平軸４ａを中心として回転する。例えば図１の例の水平軸４ａは、前後方向に延びる。例えば図１の例では、上下に一対ずつ、合計４つのスプロケット４が設けられている。
【００４１】
主務チェーン６は、複数のスプロケット４に掛け回され上下方向に循環する無端状のチェーンである。例えば図１の例では、前後に１対の主務チェーン６が前後それぞれの水平軸４ａに駆けまわされている。主務チェーン６は、主務チェーン６上に間隔を隔てて配置されケージ１０を吊り下げ可能な複数のチェーンアタッチメント８を有する。以下の説明において、チェーンアタッチメント８を単に「アタッチメント８」とする。
例えば図１の例でアタッチメント８は、一端部が互いに間隔を隔てて主務チェーン６に回動可能に連結し、他端部が回動可能に互いに連結する一対のリンクにより形成されている。なお、アタッチメント８の構成は、その他のものでもよい。
【００４２】
ケージ１０は、パレット２０を格納する枠組みである。ケージ１０はアタッチメント８に吊り下げられ、パレット２０を搭載したまま、主務チェーン６の循環によって移動する。
【００４３】
パレット２０は、車両Ａを搭載し、前後方向両端部をケージ１０に載せて、ケージ１０に格納される。入出庫部１２に位置するパレット２０の上面は、入出庫部１２の床と同じ高さにあることが好ましい。つまり、車両Ａは、入出庫部１２の床に着床するのではなく、ケージ１０に吊り下げられたままの状態のパレット２０に、自走により入出庫する。
【００４４】
制御装置２４は、スプロケット４の回転を制御する。それにより、制御装置２４は、特定のケージ１０を入出庫部１２に移動する。
【００４５】
次に、本発明の洗車設備１４について説明する。
本発明の駐車装置１は、洗車設備１４を備えた垂直循環式駐車装置である。洗車設備１４は、入出庫部１２において、車両Ａの洗車に使用される。
【００４６】
（第１実施形態）
図２は、本発明の第１実施形態の洗車設備１４の説明図である。図２は、入出庫部１２の正面図を表している。
第１実施形態の駐車装置１では、車両Ａをケージ１０に搭載したまま洗車する。第１実施形態の洗車設備１４は、洗車ホース１５、ノズル１６ａ、排水装置１８、及び防水カバー１９を備える。
【００４７】
防水カバー１９は、入出庫部１２に位置する車両Ａの周囲で上方から垂れ下がる布状のカバーである。例えば防水カバー１９は、ケージ１０の上端部に取り付けられた前後方向に延びるカーテンレールやワイヤー（以下、単にカーテンレール）に脱着可能に取り付けられていてもよい。
【００４８】
この場合、例えば防水カバー１９は、ケージ１０に設けられたカーテンレールと、防水性の布又はビニールで形成されたカーテンと、カーテンをカーテンレールに取り付けるフックと、を有していてもよい。
この場合、操作者又は利用者は、洗車時にカーテンレールにカーテンを取り付け、洗車が終ったら、カーテンをケージから取り外す。
【００４９】
もしくは防水カバー１９はロールカーテンであってもよい。この場合、ロールカーテンは、前後方向に延びる軸に布が巻きつき、その布を引き出し、再び巻き付けさせることができるものであることが好ましい。ロールカーテンは、ケージ１０に予め取り付けられていてもよい。
この場合、ロールカーテンはケージ１０に固定されているので、常にケージ１０と共に主務チェーン６に沿って上下に循環する。操作者又は利用者は、洗車時に、ロールカーテンの布を引き出し、下方に垂らす。洗車後は、布を再び軸に巻き付けさせることにより、布を収納する。
【００５０】
または、防水カバー１９は、持ち運び可能な間仕切りに設けられていてもよい。その場合、間仕切りは、上下方向に延びる枠組又はポールを有し、その上端部に防水カバー１９が固定されていてもよい。間仕切りは、窪み１２ａの外側の入出庫部１２の床に設置されることが好ましい。しかしこれに限らず、例えば防水機能を有さない特定の周辺機器がある場合、防水カバー１９は、その機器と車両Ａとの間に設けられていればよい。
【００５１】
本実施形態の洗車設備１４は、洗車ホース１５の一端が連結可能なノズル１６ａを備える。ノズル１６ａと防水カバー１９とは、ケージ１０に固定されていることが好ましい。
例えばノズル１６ａは、ケージ１０の上端部に取り付けられていることが好ましい。ノズル１６ａは、ケージ１０に搭載された車両Ａに水を噴射する。この場合、ノズル１６ａは、ケージ１０の上端部の前後左右に一つずつ、合計４つが設けられていてもよい。しかしこれに限らず、ノズル１６ａの数はこれよりも多くても少なくてもよい。ノズル１６ａは、噴射した水が車両Ａにかかる角度で、ケージ１０に固定されている。例えばケージ１０に防水カバー１９が取り付けられる場合は、ノズル１６ａは、防水カバー１９よりもパレット２０側（すなわち車両Ａ側）に水を噴射する。
【００５２】
ノズル１６ａには、中間ホース１６ｂが連結されている。中間ホース１６ｂは、洗車ホース１５との連結部１６ｃと、ノズル１６ａと、の間で、ケージ１０のフレームに沿って延び、ケージ１０のフレームに固定される。
【００５３】
洗車ホース１５と排水装置１８とは、入出庫部１２に設けられる。
第１実施形態の洗車ホース１５は、一端から放水する可撓性のある管状のホースであり、その一端にコネクタを有する。このコネクタが連結部１６ｃに連結されることにより、洗車ホース１５が中間ホース１６ｂに連結される。
この構成により、洗車ホース１５の一端部から放出された水は、中間ホース１６ｂを介してノズル１６ａから放出され、車両Ａに向けて噴射される。
【００５４】
それにより操作者又は利用者が、洗車する車両Ａを搭載したケージ１０を入出庫部１２に移動し、洗車ホース１５と連結部１６ｃとを連結して放水を開始させるだけで、車両Ａを洗車することができる。
【００５５】
なお、ノズル１６ａが取り付けられる場所は、ケージ１０に限らない。例えばノズル１６ａは、上述した持ち運び可能な間仕切りの上端部に設けられていてもよい。その場合は、洗車時に操作者又は利用者は、ノズル１６ａが車両Ａ側に向くように間仕切りを車両Ａの周囲に設置する。
【００５６】
排水装置１８は、放水された水を入出庫部１２から排出する装置である。例えば排水装置１８は、窪み１２ａの底面のうちの最も低い位置（すなわち入出庫部１２の床の最も低い位置）に開口する排水管１８ａを有する。それにより、入出庫部１２に流れ落ちた水が入出庫部１２の床を流れ、排水管１８ａに排水される。
【００５７】
図３は、水タンク２２と水抜きホース２２ｂの説明図である。図３（Ａ）は、パレット２０の平面図であり、図３（Ｂ）は、Ｐ−Ｐ矢視図である。第１実施形態の洗車設備１４は、さらに水タンク２２と水抜きホース２２ｂを備える。
水タンク２２は、パレット２０の上面に開口し、下方に窪むタンクである。パレット２０の上面から流れ落ちる水は、水タンク２２の開口から水タンク２２の内部に流れ落ち、そこに溜められる。水タンク２２の開口には、パレット２０の上面と同じ高さに設置される格子２２ｃが設けられている。それにより、車両Ａは、水タンク２２にタイヤＢが嵌ることなく、格子２２ｃ上を走行することができる。
【００５８】
水抜きホース２２ｂは、一端部が水タンク２２の底面２２ａに連結する。水タンク２２に溜まった水は、水タンク２２の底面２２ａから水抜きホース２２ｂを介して水タンク２２の外部に排出される。
水抜きホース２２ｂは、その他端部の位置を移動可能にパレット２０に取り付けられている。水抜きホース２２ｂの他端部は、パレット２０が入出庫部１２より上方に位置するときに水タンク２２の上端部より上方に位置し、パレット２０が入出庫部１２に位置するときに水タンク２２の底面２２ａより下方に位置する。
【００５９】
例えば図３に示したパレット２０は、その幅方向両端に、駐車中に車両Ａの扉が開放するのを防ぐ防護柵２０ａが設けられている。防護柵２０ａは、パレット２０から鉛直に延びる２本の柵柱と、その柵柱を水平方向に連結する長手方向に延びる水平棒とが、幅方向に延びる水平軸を中心として回動可能に連結されている。柵柱の下端部は、幅方向に延びる水平軸を中心として回動可能にパレット２０に取り付けられている。また柵柱の下端部は、長手方向に延びる棒状の柵用リンク２０ｂに連結している。
この構成により、防護柵２０ａは、パレット２０が入出庫部１２に位置するときに柵用リンク２０ｂに長手方向に押される。それにより、２本の柵柱は倒れ、防護柵２０ａは、入出庫時に車両Ａの扉の下端に衝突しない高さになる。
パレット２０が入出庫部１２以外の位置にあるときは、柵用リンク２０ｂに取り付けられたバネの弾性力により、柵柱が鉛直に延びる位置に、柵用リンク２０ｂが維持される。
【００６０】
水抜きホース２２ｂは、幅方向に延びる水平軸を中心として回動可能にパレット２０に取り付けられる。水抜きホース２２ｂは、水抜き用リンク２２ｄに連結され、水抜き用リンク２２ｄの長手方向の移動により、その他端部の位置を移動させる。水抜き用リンク２２ｄは、防護柵２０ａ又は柵用リンク２０ｂに連結される。
【００６１】
この構成により、水抜きホース２２ｂは、防護柵２０ａを自動で動かす機構に連動して、水抜きホース２２ｂの他端部の位置を移動させる。それにより洗車設備１４は、パレット２０が入出庫部１２以外の位置にある間はパレット２０上の水を水タンク２２に溜め、パレット２０の下方に水が落ちるのを防ぐことができる。そしてパレット２０が入出庫部１２に位置するときに、水タンク２２に溜まった水を水抜きホース２２ｂから排水管１８ａに流すことができる。
【００６２】
この構成により、パレット２０が入出庫部１２に位置するときにだけ、パレット２０から水を自動で排出することができる。
【００６３】
本実施形態の駐車装置１は、これらの構成により、操作者又は利用者が洗車する場所を入出庫部１２に確保できる。また本実施形態の駐車装置１は、操作者又は利用者が操作盤を操作して洗車する車両Ａを入出庫部１２に移動し、防水カバー１９をケージ１０又は間仕切りに設置し、連結部１６ｃと洗車ホース１５とを連結し、放水を開始するだけで洗車することができる。
【００６４】
本発明の駐車装置１は、窪み１２ａの内側に車両Ａを設置した状態で洗車する。排水管１８ａが窪み１２ａの底面のうちの最も低い位置に設けられていることにより、車両Ａから滴り落ちた水がパレット２０を経て窪み１２ａに流れ落ちる。そのため、本発明の駐車装置１は、窪み１２ａの外側の入出庫部１２の床を濡らさずに洗車できる。
【００６５】
また第１実施形態の駐車装置１は、防水カバー１９を有することにより、入出庫部１２に移動された周辺機器が浸水するのを防ぐことができる。
【００６６】
本実施形態の駐車装置１は、ノズル１６ａ、中間ホース１６ｂ、及びカーテンレール又は防水カバー１９が取り付けられたケージ１０（以下、洗車機能付きのケージ１０）を１つのみ備えていてもよい。
その場合、操作者又は利用者は、ケージ１０に格納されている車両Ａを一旦、前庭に移動し、操作盤を操作して洗車機能付きのケージ１０を入出庫部１２に移動し、車両Ａを洗車機能付きのケージ１０の内部に移動させ、洗車する。
【００６７】
もしくは、本実施形態の駐車装置１は、洗車機能付きのケージ１０を複数備えていてもよい。例えば集合住宅に設置された駐車装置１の場合、洗車契約をしている利用者の車両Ａを格納するケージ１０にのみ、ノズル１６ａ、中間ホース１６ｂ、カーテンレール又は防水カバー１９が取り付けられていてもよい。
その場合、利用者は、操作盤を操作して自分の車両Ａを搭載した洗車機能付きのケージ１０を入出庫部１２に移動し、そのまま車両Ａを動かすことなく、洗車を開始することができる。また駐車するケージ１０に載せられた状態で車両Ａを洗車するので、洗車後は、防水カバー１９を片付け、中間ホース１６ｂから洗車ホース１５を外すだけで、車両Ａを動かすことなく洗車作業を終えることができる。
【００６８】
本実施形態の駐車装置１は、自動車の販売事業やレンタカー事業を営む企業が使用する駐車装置であってもよい。その場合には、全てのケージ１０が洗車機能付きのケージ１０であってもよい。
その場合、操作者は、１つのケージ１０に載った車両Ａを洗車し終わった後に、それに隣接するケージ１０を入出庫部１２に移動するように操作盤を操作し、その車両Ａを洗車し、再び操作盤を操作して次の車両Ａを載せたケージ１０を入出庫部１２に移動させる。このように本実施形態の駐車装置１は、操作者が車両Ａに乗り込み、移動させる必要が無いので、主務チェーン６の循環と洗車とを繰り返だけで効率よく洗車をすることができる。
【００６９】
（第２実施形態）
図４は、本発明の第２実施形態の洗車設備１４の説明図である。図４は、入出庫部１２の正面図を表している。第２実施形態の洗車設備１４は、洗車ホース１５、排水装置１８、防水カバー１９、水タンク２２、及び水抜きホース２２ｂを備える。
本実施形態の駐車装置１は、洗車設備１４がノズル１６ａや中間ホース１６ｂを有さない点で、第１実施形態の駐車装置１と相違する。
【００７０】
本実施形態の駐車装置１において操作者又は利用者は、洗車ホース１５を持って防水カバー１９よりもパレット２０側に入り、自分で洗車する。
【００７１】
本実施形態の制御装置２４は、洗車設備１４を稼働させる洗車モードを有していてもよい。例えば洗車モードでは、入出庫部１２内の車両Ａの前後はみ出し、左右はみ出し、人検知センサーなどのセンサーは不感知状態となる。
【００７２】
また入出庫部１２内の前面扉の横には、前面扉の開閉ボタンが設置されていることが好ましい。この場合、操作者又は利用者が入室後、前面扉を閉じ、洗車完了後開くことが好ましい。
制御装置２４は、人が入出庫部１２の内部から操作して前面扉を閉じたときに洗車モードを開始させてもよい。また制御装置２４は、洗車モードが作動している間に、たとえ他の操作者又は利用者が誤って入出庫しようとしたとしても、スプロケット４を動かさないように制御することが好ましい。
それにより洗車している人の安全を確保することができる。
なお、前面扉が開いた状態のままで洗車できるように構成されていてもよい。
【００７３】
次に第２実施形態の駐車装置１の使用方法について説明する。
本実施形態の駐車装置１を使用する際には、まず操作者又は利用者は、操作盤で制御装置２４を操作し、主務チェーン６を循環させて洗車する車両Ａを入出庫部１２に移動する。
次いで、操作盤を操作することにより、もしくは入出庫部１２の内側から開閉ボタンを押して入出庫部１２の前面扉を閉じることにより、制御装置２４の洗車モードを開始させる。
【００７４】
次に、防水カバー１９をケージ１０の周囲に設置する。つまり、例えば防水性のカーテンをカーテンレールに取り付けて、もしくはケージ１０に取り付けられているロールカーテンの布を引き出して、又は間仕切りを車両Ａの周囲に運び設置する。
その後、操作者又は利用者は、防水カバー１９と車両Ａの間に入り、洗車ホース１５を持って車両Ａを洗車する。
【００７５】
洗車の終了後、操作者又は利用者は、防水カバー１９と洗車ホース１５を片付ける。
その後、制御装置２４を操作することにより、もしくは入出庫部１２の内側に設置された開閉ボタンを押して入出庫部１２の外に出ることにより、制御装置２４の洗車モードを終了させる。
【００７６】
本実施形態の駐車装置１は、これらの構成により、洗車する車両Ａが載ったケージ１０を入出庫部１２に移動するだけで、容易に洗車する場所を確保することができる。
また車両Ａを駐車させるケージ１０に載せたまま洗車できるので、洗車の前後に車両Ａを動かす必要が無い。
【００７７】
その他の第２実施形態の駐車装置１の構成と効果は、第１実施形態と同様である。
【００７８】
（第３実施形態）
図５は、本発明の第３実施形態の洗車設備１４の説明図である。図５は、入出庫部１２の正面図を表している。本実施形態の駐車装置１は、主務チェーン６上における隣り合ったケージ１０間に位置し、１つのケージ１０の大きさに相当する空間２５を備える。空間２５は、スプロケット４が回転することにより、周囲のケージ１０と共に主務チェーン６に沿って循環する。
【００７９】
また第３実施形態の洗車設備１４は、洗車ホース１５を有し、排水装置１８は排水管１８ａを有する。
本実施形態の駐車装置１は、例えば商業用又は営業用の建物に設けられた駐車装置であってもよい。もしくは本実施形態の駐車装置１は、例えば自動車の販売事業やレンタカー事業を営む企業が使用する駐車装置であってもよい。
この場合、操作者が車両Ａを一台ずつ入出庫部１２で洗車し、駐車装置１に格納する作業を繰り返す。しかし本実施形態の駐車装置１は、その他の用途の駐車装置であってもよい。
【００８０】
本実施形態の駐車装置１のアタッチメント８は、ケージ１０が吊り下げられている使用アタッチメント８ａと、ケージ１０が吊り下げられていない未使用アタッチメント８ｂと、からなる。つまり、本実施形態の駐車装置１は、全てのアタッチメント８にケージ１０が設けられているのではなく、その一部に、ケージ１０が取り付けられていないアタッチメント８を有する。空間２５は、この未使用アタッチメント８ｂがある部分に形成される。
【００８１】
本実施形態の制御装置２４は、洗車設備１４の使用時には、空間２５が入出庫部１２に位置するようにスプロケット４の回転を制御する。
また本実施形態の洗車設備１４は、洗車台２６を有する。また本実施形態の洗車設備１４を使用する場合は、入出庫部１２に設置されている周辺機器が防水機能を有していることが好ましい。
【００８２】
洗車台２６は、窪み１２ａ内に設置され、車両ＡのタイヤＢを載せる水平な上面２６ａを有する。
以下の説明で、「車路」とは、車両ＡのタイヤＢが通過する経路を意味する。
【００８３】
図６は、本発明の具体例１の洗車台２６の説明図である。
（洗車台２６の具体例１）
具体例１の洗車台２６は、図５に示すように、洗車台２６の下面に、水平軸２６ｃを中心として回転可能な車輪２６ｂを少なくとも３つ以上有する。
【００８４】
洗車台２６は、平板であってもよく、パレット２０のように起伏があってもよい。
本具体例の洗車台２６を使用するときは、操作者又は利用者は、車輪２６ｂを転がして洗車台２６を移動し、窪み１２ａの中に設置する。その後、車輪２６ｂを固定し、洗車台２６の上に車両Ａを移動させて、洗車する。
【００８５】
図７は、本発明の具体例２の洗車台２６の説明図である。図７は、入出庫部１２の平面図を示している。
（洗車台２６の具体例２）
具体例２の洗車台２６は、制御装置２４の制御により上面２６ａを横行させる横行アクチュエータ３０を有する。横行アクチュエータ３０は、例えば油圧シリンダとリンク機構であってもよく、ラック・アンド・ピニオンであってもよい。図７には、横行アクチュエータ３０がラック・アンド・ピニオンである場合を記載している。図７の洗車台２６は、幅方向に延びるレール３０ａに沿って横行する。
【００８６】
本具体例の洗車台２６は、鉛直な内側面と水平な底面から成っている窪み１２ａに設けられていることが好ましい。
【００８７】
本具体例の制御装置２４は、空間２５が入出庫部１２に位置するときに、上面２６ａが車両Ａの車路に位置するように横行アクチュエータ３０を制御する。そして制御装置２４は、ケージ１０が入出庫部１２に位置するとき及びスプロケット４を回転させるときに、上面２６ａが車路より入出庫部１２の幅方向外方に位置するように横行アクチュエータ３０を制御する。
【００８８】
本具体例の洗車台２６は、互いに平行に並ぶ上面２６ａを２つ有する。上面２６ａは、車両Ａの進行方向に延び、タイヤＢが通過する部位のみに設けられていてもよい。
【００８９】
図８は、本発明の具体例３の洗車用台２６の説明図である。図８（Ａ）は、入出庫部１２の平面図、図８（Ｂ）（Ｃ）は、図８（Ａ）のＱ−Ｑ矢視図である。図８（Ｂ）は、上面２６ａが入出庫部１２の床の高さに位置するときの図であり、図８（Ｃ）は、上面２６ａが入出庫部１２の床の高さより下方に位置するときの図である。
（洗車台２６の具体例３）
本具体例の洗車台２６は、上面２６ａが上下に昇降する台である。
本具体例の洗車台２６は、制御装置２４の制御により上面２６ａを昇降させる昇降アクチュエータ２８を有する。
【００９０】
本具体例の制御装置２４は、図８（Ｂ）に示すように、空間２５が入出庫部１２に位置するときに、上面２６ａが入出庫部１２の床の高さに位置するように昇降アクチュエータ２８を制御する。また制御装置２４は、ケージ１０が入出庫部１２に位置するとき及びスプロケット４を回転させるときに、図８（Ｃ）に示すように、上面２６ａが入出庫部１２の床より下方に位置するように昇降アクチュエータ２８を制御する。
この構成により、本具体例の洗車台２６は、主務チェーン６が循環するときと入出庫時に、ケージ１０に衝突しないように上面２６ａを下降させ、洗車をするときに、車両Ａが乗り込めるように、上面２６ａを入出庫部１２の床高さまで上昇させる。
【００９１】
本具体例の洗車台２６を使用することにより、自動で洗車台２６を設置し、洗車後には入出庫部１２の床面高さから自動で洗車台２６を撤去することができる。
【００９２】
本実施形態の駐車装置１は、洗車時には、ケージ１０一つ分の大きさに相当する空間２５を入出庫部１２に形成し、かつ空間２５に隣接するケージ１０を、入出庫部１２で洗車できるほど十分に上方に位置させることができる。
その他の第３実施形態の駐車装置１の構成と効果は、第１実施形態又は第２実施形態のそれらと同様である。
【００９３】
次に第３実施形態の駐車装置１の使用方法について説明する。
この第３実施形態の駐車装置１を使用する際には、まず操作者又は利用者は、車両Ａを建屋２の前庭に置く。例えば車両Ａが駐車装置１に駐車しているときには、ケージ１０から車両Ａを出庫させ、前庭に駐車させる。
【００９４】
次に、駐車装置１の操作盤を操作し、空間２５を入出庫部１２に位置させる。具体的には、操作者又は利用者は、操作盤を操作して未使用アタッチメント８ｂを入出庫部１２に移動する。
【００９５】
スプロケット４の回転が停止したら、操作者又は利用者は、洗車台２６を窪み１２ａの中に設置し、車両Ａを自走させて洗車台２６の上に搭載する。
次いで、洗車台２６に載せた車両Ａを、洗車ホース１５で洗車する。
洗車後は、車両Ａを前庭に出庫させ、洗車台２６を元の位置に戻す。
その後、操作盤で車両Ａを格納するケージ１０を呼び出し、ケージ１０に車両Ａを搭載する。
【００９６】
次に、既設の垂直循環式駐車装置（以下、既設駐車装置）を本発明の駐車装置１に改造する改造方法について説明する。
【００９７】
まず、既設駐車装置を用意する。
既設駐車装置は、上述の主務チェーン６、複数のケージ１０、入出庫部１２を備える垂直循環式駐車装置である。
主務チェーン６には、主務チェーン６上に間隔を隔てて複数のアタッチメント８が配置されており、複数のケージ１０がそれぞれ使用アタッチメント８ａに吊り下げられている。
【００９８】
次いで、用意した既設駐車装置に、入出庫部１２において車両Ａの洗車に使用される洗車設備１４を設ける。
これにより、本発明の改造方法によれば、既設駐車装置を容易に本発明の駐車装置１に改造できる。
【００９９】
さらに具体的には、既設駐車装置を第３実施形態の駐車装置１に改造する場合は、次のように改造する。
【０１００】
まず既設駐車装置に、洗車ホース１５と排水装置１８を入出庫部１２に取り付ける。洗車ホース１５と排水装置１８の構成は、上述の通りである。
【０１０１】
次に、既設駐車装置のアタッチメント８に連結しているケージ１０の少なくとも１つを主務チェーン６から外す。つまり、複数の使用アタッチメント８ａの少なくとも１つからケージ１０を外し、使用アタッチメント８ａを未使用アタッチメント８ｂとする。それにより、主務チェーン６上における隣り合ったケージ１０間に、１つのケージ１０の大きさに相当する空間２５を設ける。
洗車時には、空間２５を入出庫部１２に位置させて、入出庫部１２で洗車する。
【０１０２】
これにより、既設駐車装置を容易に第３実施形態の駐車装置１に改造できる。
【０１０３】
上述した本発明の装置と方法によれば、洗車設備１４が入出庫部１２に設けられるので、操作者又は利用者自らが入出庫部１２で車両Ａを洗車できる。したがって、洗車の都度、車両Ａを駐車装置１の外に運び出す必要が無い。また操作者又は利用者自らが洗車できる場合にまで、洗車料金を支払ってガソリンスタンド等の洗車サービスに洗車を依頼する必要が無い。
【０１０４】
その上、本発明の装置と方法によれば、建屋２内で洗車できるので、天候に左右されずに洗車できる。
【０１０５】
また本発明の洗車設備１４は、入出庫部１２に設けられるので、通常の垂直循環式駐車装置が必要とする敷地面積の他に、余分な建物を建てるための土地を必要としない。つまり、本発明の装置と方法によれば、敷地面積が通常の垂直循環式駐車装置が必要とする敷地面積と同じであっても、駐車装置１の建屋２の内部で車両Ａを洗車できる。
【０１０６】
さらに、本発明の装置と方法によれば、洗車設備１４を設ける場所が建屋２の１階部分に設けられた入出庫部１２であるため、ピットや地下の洗車空間を設ける必要が無い。そのため、従来の洗車設備を設けた駐車装置よりも垂直循環式駐車装置１の建設費用を抑えることができる。
【０１０７】
なお本発明は上述した実施の形態に限定されず、本発明の要旨を逸脱しない範囲で種々変更を加え得ることは勿論である。
【符号の説明】
【０１０８】
Ａ  車両、Ｂ  タイヤ、１  垂直循環式駐車装置、２  建屋、
４  スプロケット、４ａ  水平軸、６  主務チェーン、
８  チェーンアタッチメント、８ａ  使用アタッチメント、
８ｂ  未使用アタッチメント、１０  ケージ、
１２  入出庫部、１２ａ  窪み、１４  洗車設備、１５  洗車ホース、
１６ａ  ノズル、１６ｂ  中間ホース、１６ｃ  連結部、
１８  排水装置、１８ａ  排水管、１９  防水カバー、
２０  パレット、２０ａ  防護柵、２０ｂ  柵用リンク、
２２  水タンク、２２ａ  底面、２２ｂ  水抜きホース、２２ｃ  格子、
２２ｄ  水抜き用リンク、２４  制御装置、２５  空間、
２６  洗車台、２６ａ  上面、２６ｂ  車輪、２６ｃ  水平軸、
２８  昇降アクチュエータ、３０  横行アクチュエータ、３０ａ  レール
【図１】
0006632260.tif 000002
【図２】
0006632260.tif 000003
【図３】
0006632260.tif 000004
【図４】
0006632260.tif 000005
【図５】
0006632260.tif 000006
【図６】
0006632260.tif 000007
【図７】
0006632260.tif 000008
【図８】
0006632260.tif 000009